(57)【要約】  【課題】  階段設備の新築、増設、あるいは既存階段を改修する改修工事等に使用するに適した階段ブロックであり、さらにはそれら工事時の作業性、経済性、工期の短縮等に有利であると共に、工事が完了された階段設備の美観性を高めることも可能な階段ブロックの提供にある。  【解決手段】  天然石材を素材として形成し、階段の構築時に水平に配置される水平踏み面を有する踏み板部材１２と、天然石材を素材として形成し該踏み板部材の後端面に接着結合されて上方へ延長形成される蹴上げ面を有する蹴上げ板部材１３と、天然石材を素材として形成し、前記踏み板部材の前縁部固設される段鼻部材１４とからなり、前記の踏み板部材１２と蹴上げ板部材１３、及び踏み板部材１２と段鼻部材１４のそれぞれを、アングル１６、鎹１５、接着材等の固定手段を介して一体に結合した。【選択図】  図１
0003190069.tif 000002
【実用新案登録請求の範囲】
【請求項１】
天然石材を素材として形成し、階段の構築時に水平に配置される水平踏み面を有する踏み板部材と、天然石材を素材として形成し該踏み板部材の後端面に接着結合されて上方へ延長形成される蹴上げ面を有する蹴上げ板部材と、天然石材を素材として形成し、前記踏み板部材の前縁部固設される段鼻部材とからなり、前記の踏み板部材と蹴上げ板部材、及び踏み板部材と段鼻部材のそれぞれを、アングル、鎹、接着材等の固定手段を介して一体に結合してなることを特徴とする階段ブロック。
【請求項２】
水平踏み面と、蹴上げ面とで成す交部が曲面に形成されていることを特徴とする請求項１に記載の階段ブロック。
【請求項３】
踏み板部材、蹴上げ板部材及び段鼻部材の板厚を、２０ｍｍ〜３０ｍｍとなしたことを特徴とした請求項１、２に記載の階段ブロック。
【考案の詳細な説明】
【技術分野】
【０００１】
本考案は、天然石板材を加工素材として使用し製作した階段ブロックであって、階段設備の新築、増設、あるいは既存階段を改修する改修工事等に使用するに適した階段ブロックであり、さらにはそれら工事時の作業性、経済性、工期の短縮等に有利であると共に、工事が完了された階段設備の美観性を高めることも可能とする階段ブロックに関するものである。
【背景技術】
【０００２】
周知のように、ビルディング、駅舎、プラットホーム等の建造物には多くの階段が建設（設備）使用されているが、例えば数十年前の高度成長期に建設された建物やそれに付随する既存階段等は、年月の経過に伴い老朽化されているものも多くなり、これに伴い改修、改築等が要望される階段設備も多々発生しているのが現状である。
【０００３】
既に構築されている階段設備の構造は多種多様であって、階段設備企業や建設会社等の設計、仕様などから様々であるが、その中に階段ブロックを使用して構築した既存の階段設備は多く存在している。
【０００４】
本考案の趣旨を分かり易くするために、まずは階段ブロックを使用して構築されている既存階段設備の基本的構造について、図５及び図６を基にしてその概略を説明する。
【０００５】
階段ブロックを用いて構築した従来の階段設備の階段設備の基本構造は、図５に示すように不図示の建物に対して上下方向斜めに予め建設してある鉄骨等の躯体１の躯体傾斜面２に対し、蹴上げ面３と踏み面４とを形成して成る略Ｌ字形状の複数の階段ブロック５を配置し、それらの階段ブロック５に固定されている金属部材（アングル）６と躯体１とを例えば溶接等の固定手段を用いて各階段ブロック５を固定しながら下方段より上段方向へ順次固定する工法がある。
【０００６】
即ち、上記階段ブロックを使用する階段設備の構築は、予め建設した鉄骨等の躯体１に、複数個の階段ブロックを配置固定して成る階段設備である。
【０００７】
また、それとは別の工法として例えば図６に示すように、所望の建造物と一体に建設して成るコンクリート７基礎の上側に、前記同様の階段ブロック５を順次配置固定して階段を構築する構築例もある。
【０００８】
つまり、既存の階段設備としては、上記階段設備の構築例以外にも各設備業者による設計仕様の相異等により工法の異なる階段設備が多々存在するが、一般的には鉄骨、石材、コンクリートを用いて建設した躯体の上に、予め工場生産して成る階段ブロックの多数個を配置固定して、ビルディング、駅舎、プラットホーム等の階段設備が構築されているのが現状である。
【０００９】
上記の工法等を採用して構築されている既存の階段設備は、その耐久性、安全性等の要求を満たさなければならない構築基準を考慮して建設されていることから、堅牢度が高く頑丈に構築されている。
【００１０】
ところが、如何に堅牢度が高く頑丈に構築された階段設備であっても、築数十年も経過した建造物やそれに付随する階段設備等は老朽化が進み、今やその既存建物の改修（リホーム）や、それに付設されている階段設備の改修工事の要望及びその必要性が高まっているのが現状である。
【００１１】
既に図説したように既存階段設備は、鉄骨やコンクリート等の躯体に対して階段ブロックが堅牢度高く固設されていることから、例えば階段設備の改修を目的とする場合、その既存階段設備の解体作業、たとえば改修すべき階段ブロック等を剥離する等の解体作業等は極めて困難であって、その解体作業に莫大な手間と工期が必要となり、それに伴い多額の改修費用がかかると言った問題点があった。
【００１２】
しかしながら、数十年以前に建設されて今や老朽化してしまった既存階段設備が続出している現状を考慮すれば、上記の問題点を早急に解消できる階段設備改修工事の開発が求められているのが現状である。
【００１３】
本出願人はかかることに鑑み、例えば既存の階段設備を改修する時は、その改修工事を安全にして短期間で、かつ経済的に施工することを可能ならしめることができ、また階段設備を新築、増設する時にもそれらの工事を短期間で経済的に遂行できる階段ブロックを提供するものである。
【考案の概要】
【考案が解決しようとする課題】
【００１４】
本考案は、上記の問題点を解決すべく成されたもので、その第一の目的は、既に建設されている既存階段設備を改修する場合には、その既存の階段設備を解体（破壊）することなく、その既存階段の形態を維持したままで改修工事を短期間で遂行することを可能ならしめるとともに、階段設備を新築、増設する場合にもその設備を短期間で経済的に構築することができる階段ブロックの提供にある。
【００１５】
さらに、本考案の第二の目的は、既存の階段設備を改修する場合は、その既存の階段設備に残されている階段設備強度と相俟って十分な強度を確保できる軽量化階段ブロックを完成させ、この軽量化によって工場における生産の容易性、搬送の容易性、改修作業現場における取り扱いの容易性等を高めることを可能とする階段ブロックの提供にある。
【００１６】
さらに、本考案の第三の目的は、美感と色調に優れた天然石板を使用して階段ブロックを形成し、この階段ブロックを使用することで新築または改修が完成された階段設備の美感を高めることが出来る階段ブロックの提供にある。
【課題を解決するための手段】
【００１７】
そこで、本考案の請求項１では、天然石材を素材として形成し、階段の構築時に水平に配置される水平踏み面を有する踏み板部材と、天然石材を素材として形成し該踏み板部材の後端面に接着結合されて上方へ延長形成される蹴上げ面を有する蹴上げ板部材と、天然石材を素材として形成し、前記踏み板部材の前縁部固設される段鼻部材とからなり、前記の踏み板部材と蹴上げ板部材、及び踏み板部材と段鼻部材のそれぞれを、アングル、鎹、接着材等の固定手段を介して一体に結合してなる階段ブロックであることを特徴としている。
【００１８】
従って、この請求項１に記載の階段ブロックの基本形状は、踏み板部材、蹴上げ板部材及び段鼻部材を組み合わせて、側面略Ｌ型と成した構造（形状）であるので、本考案の階段ブロックを使用する階段設備の構築工事時においては、その階段ブロックの多数個を、既に構築されている躯体の上に配置固定し、また解体をしない既設階段の上側に順次配置固定することができる構造であるので、比較的簡単な構築作業で階段改修工事を行うことができる。
【００１９】
また本考案の請求項１では、天然石材を素材として踏み板部材、蹴上げ板部材及び段鼻部材のそれぞれを形成しているので、この階段ブロックによれば、天然石特有の美感を利用することができ、構築された階段設備の顕著な美感が得られる。
【００２０】
また本考案の請求項２では、水平踏み面と、蹴上げ面との交部が曲面に形成されていることを特徴としている。
【００２１】
従って、請求項２に記載の階段ブロックによれば、水平踏み面と、蹴上げ面との交部が曲面に形成されているので、その水平踏み面と、蹴上げ面との間に角が無くなりこれによって、水平踏み面と、蹴上げ面との間に存在する塵埃や清掃時の汚水の排出、及び清掃作業が容易となり階段設備の清潔感が得られる。
【００２２】
また本考案の請求項３では、踏み板部材、蹴上げ板部材及び段鼻部材の板厚を、２０ｍｍ〜３０ｍｍ（望ましくは２５ｍｍ）となしたことを特徴としている。
【００２３】
従って、請求項３に記載の階段ブロックによれば、その踏み板部材、蹴上げ板部材及び段鼻部材何れもが、天然石の薄板を素材として形成していることから、これらの踏み板部材、蹴上げ板部材及び段鼻部材を組み合わせて成る階段ブロックの軽量化が可能となり、これによって当該階段ブロック生産加工時の取り扱いや、生産された該階段ブロックを構築現場まで搬送するときの搬送の容易性、及び構築現場における取り扱いの容易性等が大幅に向上する。
【００２４】
さらに、踏み板部材、蹴上げ板部材及び段鼻部材の板厚を望ましくは２５ｍｍとしていることで原石に対しての加工歩留まりが良好となり、これによっても階段ブロックの単価を軽減させることが可能である。
【考案の効果】
【００２５】
本考案の階段ブロックを使用して階段設備を構築工事すれば、予め構築した段段躯体上に、または既存の階段設備を解体しない既存の階段の上に、本考案の階段ブロックを順次配置固定することができる。
【００２６】
したがって、階段設備の新築、増設等のときは、既に構築下階段躯体上に配置固定することが容易となり、また例えば階段設備の改修作業時には、既存階段設備の解体作業が不要となり、これにより解体費が削減できて、階段の新築、増設、改修等の工事作業性に優れ経済性が大幅に改善される。
【００２７】
また本考案の請求項１に記載の階段ブロックは、踏み板部材、蹴上げ板部材及び段鼻部材の何れも、天然石を素材としているので、天然石特有の美感を有し、工事が完了された階段設備の美観性が高められる効果もある。
【００２８】
また本考案の請求項２に記載の階段ブロックは、その水平踏み面と、蹴上げ面との交部に角部が無いことからその角部に塵埃や清掃時の汚水が溜まり難く清潔な階段設備を提供することができる。
【００２９】
また本考案の請求項３に記載の階段ブロックは、比較的薄い天然石材を素材として形成しているので、その階段ブロックの単位体を軽量化することができ、これにより階段ブロックの加工生産時における取り扱い、及び階段構築作業時における取り扱い等が容易となり作業性が大幅に改善される効果もある。
【図面の簡単な説明】
【００３０】
【図１】本考案の第一実施例である階段ブロックの側面図である。
【図２】図１に示す階段ブロックを使用する階段改修初期時の説明図である。
【図３】図１に示す階段ブロックを使用する階段改修終了時の説明図である。
【図４】本考案の第二実施例である階段ブロックの側面図である。
【図５】従来構築されている既存階段設備の説明図である。
【図６】従来構築されている既存階段設備の他の例を示す説明図である。
【考案を実施するための形態】
【００３１】
建物の階段、駅舎及びプラットホーム等の階段設備を新築、増設するとき、それらの階段躯体上に配置固定し、また既存階段を改造、改修工事するときは、その既存の階段を解体することなく、既存の階段の下段側から上段側へと順次、予め用意した本考案の階段ブロックを、一個宛て順次配置固定しながら構築する。
【実施例１】
【００３２】
以下に本考案の実施例１を、図１、図２、図３に基づいて詳細に説明する。
【００３３】
図１は、実施例１の階段ブロックの側面図であり、図２は、その階段ブロックを使用する改修工程の側面説明図、図３は、その改修が成された階段設備の側面説明図である。
【００３４】
先ずは、本実施例１の階段ブロック構造を図１に基づいて説明する。
【００３５】
この階段ブロック１１は、御影石等の天然石を素材として裁断形成した横長帯状の踏み板部材１２と、同様に天然石材を素材として裁断形成し、その踏み板部材１２の後端面１２aに接着結合されて上方へ延長形成される蹴上げ板部材１３と、前記踏み板部材の前端面１２bに接着結合されて、踏み板部材１２の前方及び下方へ延設される段鼻部材１４とからなっている。
【００３６】
前記の踏み板部材１２は、平板状に裁断されている横長帯状の石板であるが、蹴上げ板部材１３は、図示のように前記の踏み板部材１２の後端面１２aに接着結合される起立した接着面１３aと蹴上げ板部材１３の上端に形成される水平面１３bを有する側面略Ｌ字状を呈している。
【００３７】
さらに、この蹴上げ板部材１３には、その蹴上げ面１３cと前記接着面１３aとの間に位置し、接着面１３aの上側辺縁から蹴上げ面１３cに向かって凹曲する曲面Ｒ（円弧）を形成している。この曲面Ｒの曲率半径は、望ましくは１５ｍｍとした。
【００３８】
前記段鼻部材１４は、踏み板部材１２の前端面１２bに結合される垂直接着面１４aと、蹴上げ板部材１３の水平面１３bと対応位置する水平面１４bを有し、さらに上面に滑り防止溝１４cを形成している。
【００３９】
また、前記踏み板部材１２の板厚Hは、その強度を確保しながらも軽量化を達成するために設定した厚さとして、２０ｍｍから３０ｍｍを選択し、本実施例では２５ｍｍとして採用している。これに伴って、蹴上げ板部材１３の接着面１３a及び段鼻部材１４の厚さも２５ｍｍに決定している。
【００４０】
かかる踏み板部材１２、蹴上げ板部材１３、段鼻部材１４を使用する階段ブロックの製作（工場生産）は、図示のように踏み板部材１２の後端面１２aに、蹴上げ板部材１３の接着面１３aを付き合わせ、この両者を適宜接着材及び鎹１５、アングル１６等の結合固定手段を用いて固着し、さらに踏み板部材１２の前端面１２bに、段鼻部材１４の垂直接着面１４aを付き合わせ、これらを適宜接着材及び鎹１５、アングル１６等の結合固定手段を用いて固着してそれぞれの階段ブロックを完成する。
【００４１】
以上が本実施例１による階段ブロック１１の構造であって、かかる階段ブロック１１は工場生産によりその多数個を量産することができる。
【００４２】
そして、例えば駅舎等の既存階段設備を改修する場合には、その多数個の改修工事用階段ブロック１１を改修工事現場へ搬送し、先ずは、図２に示すように既存の階段設備１７の最下段の踏み面１７a上に樹脂接着剤、モルタル等の適宜コーキング材を塗布しながら、その上に本実施例１の階段ブロック１１を配置固定する。
【００４３】
次いで、本実施例１の階段ブロック１１の蹴上げ板部材１３背面と、既存の階段設備１７の蹴上げ面１７bとで成す隙間Ｓ内に、前記同様の樹脂接着剤、モルタル等の適宜コーキング材を流し込みその隙間Ｓを埋めて一段目の階段ブロック１１を固定する。
【００４４】
次に、同様の作業で、既存の階段設備１７の二段目の踏み面上に、予め用意されている二個目の階段ブロックを配置固定する。このとき図３で示すように一段目の階段ブロック１１の蹴上げ板部材１３の水平面１３bと、二段目の階段ブロック１１の段鼻部材１４の水平面１４bとで成る隙間にも適宜シール材（コーキング材）を介在させて各階段ブロック間のシーリングを施す。
【００４５】
以下同様の作業を繰り返しながら、既存の階段設備１７の各踏み面に階段ブロックを順次配置固定することで、図３で示すように階段設備の改修工事が完了する。
【００４６】
以上の説明で明らかなように、本実施例１に記載の階段ブロック１１を使用することで、既存の階段設備１７を解体することなく、その既存の階段設備１７を利用して階段の改修工事が実施できる。
【００４７】
また、既存の階段設備１７と階段ブロック１１とを固定するには、図２及び図３に示すように、配置する階段ブロック１１の踏み板部材１２と階段設備１７の踏み面１７aとの間にモルタル等の接着材を介在させて階段ブロック１１の位置決めを行った後、その階段ブロック１１の蹴上げ板部材１３と階段設備１７の蹴上げ面１７bとで成す隙間Ｓ内に、その隙間上方よりモルタル等の接着材を流し込むと言う単純作業で既存の階段設備１７に各階段ブロック１１を固定することができるので、工事の容易性、工事期間の短縮等が大幅に改善され、構築経済性が優れるものである。
【００４８】
また本実施例１の階段ブロック１１は、軽量化構造と成しているので、該階段ブロック搬送時の作業性、及び工事作業時の取り扱い等が容易である。
【００４９】
さらに、本実施例１の階段ブロックによれば、踏み板部材、蹴上げ板部材及び段鼻部材の何れも、天然石を素材として形成しているので、天然石特有の美感を有し、構築された階段設備の美観性が高められる。
【００５０】
また本実施例１の階段ブロックによれば、踏み面と蹴上げ面とで成す角部を曲面Ｒに形成したことで、この角部に塵埃や清掃時における汚泥等が溜まり難く、さらには階段踏み面全面の清掃作業が容易となり、これにより階段設備の清潔感が維持できる。
【実施例２】
【００５１】
図４は、本考案の第２の実施例による階段ブロックであって、この実施例では、踏み板部材１２の後縁部を起立させ、この起立した起立面と前記踏み板部材１２の水平面とで成る交わり部分を、曲面Ｒに形成したものである。つまりこの実施例２では、曲面Ｒを踏み板部材１２に設けているので、踏み板部材１２と蹴上げ板部材１３との接合面が、実施例１では垂直であるのに対し、この実施例２ではその接合面が水平となり、このために例えば階段の清掃作業時の清掃水や汚水が、前記接合面隙間から階段の裏側へ滲み出ることが無くなるという効果が得られる。
【００５２】
本実施例２におけるその他の構造は、実施例１と同等であり、その他の効果も実施例１と同様であるのでその構造及び効果説明は省略する。
【００５３】
なお、上記説明では、本考案の階段ブロックを既存の階段設備の改修工事時に用いた実施例で説明したが、これに限るものではなく、本考案の階段ブロックは、階段設備の新築時や増設時に、予め構成した階段躯体上に上記実施例と同様に配置固定することができるので階段設備の新築、増設等の工事に使用することができる。
【産業上の利用可能性】
【００５４】
本考案の階段ブロックは、既に建設されている駅舎、プラットホーム、ビル等の既存階段設備を改修するとき、さらには階段設備を新築、増設、改築するに使用する階段ブロックとして有利である。即ち既存の階段設備を改修する時はその既存の階段設備を解体する必要が無く改修工事を容易に施工することができる。
【００５５】
また本考案の階段ブロックは、軽量化されているのでその取り扱いが容易であって、駅舎、プラットホーム、ビル等の階段設備の改修、改築、新築するときにも有利である。
【符号の説明】
【００５６】
１  躯体
２  躯体傾斜面
３  蹴上げ面
４  踏み面
５  階段ブロック
６  金属部材
７  コンクリート
１１  階段ブロック
１２  踏み板部材          １２a  後端面      １２b  前端面
１３  蹴上げ板部材    １３a  接着面  １３b  水平面  １３c  蹴上げ面
１４  段鼻部材  １４a  垂直接着面  １４b  水平面  １４c  滑り防止溝
１５  鎹
１６  アングル
１７  既存の階段設備    １７a  踏み面    １７b  蹴上げ面
Ｓ    隙間            
Ｒ    曲面
【図１】
0003190069.tif 000003
【図２】
0003190069.tif 000004
【図３】
0003190069.tif 000005
【図４】
0003190069.tif 000006
【図５】
0003190069.tif 000007
【図６】
0003190069.tif 000008
【手続補正書】
【提出日】平成26年2月6日(2014.2.6)
【手続補正１】
【補正対象書類名】実用新案登録請求の範囲
【補正対象項目名】全文
【補正方法】変更
【補正の内容】
【実用新案登録請求の範囲】
【請求項１】
天然石材を素材として形成し、階段の構築時に水平に配置される水平踏み面を有する踏み板部材と、天然石材を素材として形成し該踏み板部材の後端面に接着結合されて上方へ延長形成される蹴上げ面を有する蹴上げ板部材と、天然石材を素材として形成し、前記踏み板部材の前縁部固設される段鼻部材とからなり、前記の踏み板部材と蹴上げ板部材、及び踏み板部材と段鼻部材のそれぞれを、アングル、鎹、接着材等の固定手段を介して一体に結合してなることを特徴とする階段ブロック。
【請求項２】
水平踏み面と、蹴上げ面とで成す交部が曲面に形成されていることを特徴とする請求項１に記載の階段ブロック。
【請求項３】
踏み板部材、蹴上げ板部材及び段鼻部材の板厚を、２０ｍｍ〜３０ｍｍとなしたことを特徴とした請求項１または２に記載の階段ブロック。